【手続補正書】
【提出日】平成19年5月16日(2007.5.16)
【手続補正１】
【補正対象書類名】明細書
【補正対象項目名】特許請求の範囲
【補正方法】変更
【補正の内容】
【特許請求の範囲】
【請求項１】
シート束に対して針を打ち込む打ち込み部を備えたシート綴じ装置本体と、前記シート綴じ装置本体に対して着脱自在で、針を収納する枠体及び前記シート綴じ装置本体の打ち込み部まで針を搬送するためのガイド部を備えた針カートリッジと、を有するシート綴じ装置において、
前記シート綴じ装置本体は、各々針長さが異なる針が収納された複数種の針カートリッジが選択的に着脱可能であって、
前記針カートリッジは、前記シート綴じ装置本体に装着状態及び非装着状態にて、収納された針の種類を識別するための表示部が設けられていることを特徴とするシート綴じ装置。
【請求項２】
前記針カートリッジが有する表示部は、針長さに応じた許容綴じ可能枚数を表示することを特徴とする請求項１に記載のシート綴じ装置。
【請求項３】
請求項１又は２に記載のシート綴じ装置を有するシート処理装置であって、
前記針カートリッジに設けられ、各々針長さの異なる針が収納された針カートリッジを識別する識別手段と、
前記シート綴じ装置本体に設けられ、前記識別手段を通して針カートリッジの種類を検出する検出手段と、
前記シート処理装置に設けられ、前記検出手段の検出信号に基づいて、前記装着された針カートリッジ内の針長さに応じた許容綴じ可能枚数を表示する表示部と、を有することを特徴とするシート処理装置。
【請求項４】
前記表示部を、前記シート処理装置の外装に配設したことを特徴とする請求項３に記載のシート処理装置。
【請求項５】
請求項３又は４に記載のシート処理装置を有し、画像形成情報を設定する画像形成情報入力部を持つ画像形成装置において、
前記検出手段の検出信号に基づいて、前記装着された針カートリッジ内の針長さに応じた許容綴じ可能枚数を表示する表示部を、前記画像形成情報入力部が兼ねることを特徴とする画像形成装置。
【手続補正２】
【補正対象書類名】明細書
【補正対象項目名】０００１
【補正方法】変更
【補正の内容】
【０００１】
【発明の属する技術分野】
本発明は、シート束を針で綴じるシート綴じ装置、及び前記シート綴じ装置を有するシート処理装置、及び前記シート綴じ装置を有する画像形成装置に関する。
【手続補正３】
【補正対象書類名】明細書
【補正対象項目名】００１０
【補正方法】変更
【補正の内容】
【００１０】
そこで、本発明は上記課題に鑑みてなされたものであり、その目的は、切断針を発生させることなく、シート束の枚数に拘わらず綴じ処理可能なシート綴じ装置及びこれを有するシート処理装置、及び画像形成装置を提供するものである。
【手続補正４】
【補正対象書類名】明細書
【補正対象項目名】００１１
【補正方法】変更
【補正の内容】
【００１１】
【課題を解決するための手段】
上記目的を達成するための本発明のシート綴じ装置の構成は、シート束に対して針を打ち込む打ち込み部を備えたシート綴じ装置本体と、前記シート綴じ装置本体に対して着脱自在で、針を収納する枠体及び前記シート綴じ装置本体の打ち込み部まで針を搬送するためのガイド部を備えた針カートリッジと、を有するシート綴じ装置において、前記シート綴じ装置本体は、各々針長さが異なる針が収納された複数種の針カートリッジが選択的に着脱可能であって、前記針カートリッジは、前記シート綴じ装置本体に装着状態及び非装着状態にて、収納された針の種類を識別するための表示部が設けられていることを特徴とする。
【手続補正５】
【補正対象書類名】明細書
【補正対象項目名】００１２
【補正方法】変更
【補正の内容】
【００１２】
また、前記針カートリッジが有する表示部は、針長さに応じた許容綴じ可能枚数を表示することを特徴とする。
【手続補正６】
【補正対象書類名】明細書
【補正対象項目名】００１４
【補正方法】変更
【補正の内容】
【００１４】
また、上記目的を達成するための本発明のシート処理装置の構成は、上記構成のシート綴じ装置を有するシート処理装置であって、前記針カートリッジに設けられ、各々針長さの異なる針が収納された針カートリッジを識別する識別手段と、前記シート綴じ装置本体に設けられ、前記識別手段を通して針カートリッジの種類を検出する検出手段と、前記シート処理装置に設けられ、前記検出手段の検出信号に基づいて、前記装着された針カートリッジ内の針長さに応じた許容綴じ可能枚数を表示する表示部と、を有することを特徴とする。
【手続補正７】
【補正対象書類名】明細書
【補正対象項目名】００１５
【補正方法】変更
【補正の内容】
【００１５】
また、前記表示部を、シート処理装置の外装に配設したことを特徴とする。
【手続補正８】
【補正対象書類名】明細書
【補正対象項目名】００１７
【補正方法】変更
【補正の内容】
【００１７】
また、上記目的を達成するための本発明の画像形成装置の構成は、上記構成のシート処理装置を有し、画像形成情報を設定する画像形成情報入力部を持つ画像形成装置において、前記検出手段の検出信号に基づいて、前記装着された針カートリッジ内の針長さに応じた許容綴じ可能枚数を表示する表示部を、前記画像形成情報入力部が兼ねることを特徴とする。
【手続補正９】
【補正対象書類名】明細書
【補正対象項目名】００２５
【補正方法】変更
【補正の内容】
【００２５】
針カートリッジＣ＝クラウン長さ(13mm)＋(束厚み(2mm)＋折り返し長さ(3mm))×2＝23mm
【手続補正１０】
【補正対象書類名】明細書
【補正対象項目名】００２９
【補正方法】変更
【補正の内容】
【００２９】
また、図３(a)に示した突起ｅ，ｆは、針カートリッジを識別する識別手段としての突起であり、図３(b)に示すとおり、各カートリッジにより異なる配列に設定されている。本実施形態の場合、３種類の針カートリッジと、針カートリッジ無し状態を検出できるよう、ステイプラ本体側に２つのスイッチＳＷ1，ＳＷ2（図９参照）が突起ｅ，ｆに対応する位置に配されており、２つの出力信号により針カートリッジ状態を出力する。詳細を図４の検出状態テーブルに示す。
【手続補正１１】
【補正対象書類名】明細書
【補正対象項目名】００４５
【補正方法】変更
【補正の内容】
【００４５】
このステイプラユニット100はシート束に対して針を打ち込む打ち込み部を備えた本体100ａと、該本体100ａに対して着脱自在で、針を収納する針収納部（図３に示すケースｂ）と、前記本体100ａの打ち込み部まで針を搬送するための針搬送支持部（図３に示すガイド部ｄ）を備えた針カートリッジ100ｂとからなる。すなわち、ステイプラ本体100ａに対して、針カートリッジ100ｂが装填されており、針が連結された針シートは、不図示の駆動源により矢印方向に回転駆動された送りローラ100ｃにより、図中左側へ搬送される。装置左側針打ち込み部には矢印方向に独立に往復移動可能に支持されたフォーミングプレート100ｅ、ドライバー100ｄが配されており、搬送された針シートを一本ずつフォーミング及び束への打ち込みを不図示の駆動源により行っている。また前述のように針カートリッジ100ｂ装填時に針カートリッジ100ｂの種類及び有無を検出する識別スイッチＳＷ1，ＳＷ2、及びフォーミングされた針の有無検出を行うためのフォーミング針検知センサＰ10が本体100ａに固定されている。